(57)【特許請求の範囲】
【請求項１】
一方に対向して起立する矩形状の一対の第１側板と他方に対向して起立する矩形状の一対の第２側板とにより形成された角筒状の胴部と、各第１側板の上縁に折目線を介して連設された一対の第１天フラップと、各第２側板の上縁に折目線を介して連設された一対の第２天フラップとを備え、両第１天フラップを第１側板の上縁の折目線に沿って水平に折り曲げることにより、両第１天フラップが互いに間隙を存して前記胴部の上部を覆い、両第２天フラップを第２側板の上縁の折目線に沿って水平に折り曲げて各第２天フラップの両隅部を各第１天フラップの両隅部に重合させることにより、両第２天フラップが互いに間隙を存して前記胴部の上部を覆い、両第１天フラップと両第２天フラップとにより胴部の上部中央部が開放された状態で閉蓋される、野菜を包装するための包装箱において、
第１天フラップの先端縁に、折目線を介して連なる第１折返し片と、該第１折返し片の両側に沿って延出する一対の抱込み片とを設け、第１天フラップを水平に折り曲げた後、更に第１折返し片を下方に折り返して該第１天フラップの下面に密着状態に重合させ、
第２天フラップの先端縁に折目線を介して連なる第２折返し片を設け、該第２天フラップを水平に折り曲げた後、更に第２折返し片を下方に折り返して、第２天フラップと第２折返し片とが夫々密着して抱込み片を抱込んで閉蓋し、
天地反転した状態で第１天フラップ及び第２天フラップを内部からみたときに、第１天フラップに重合する第１折返し片と抱込み片に重合する第２折返し片とによって角部を除く全周にわたって同じ高さで平坦に形成されていることを特徴とする包装箱。
【請求項２】
前記第１折返し片は、その先端縁に突出する第１凸部を備え、前記第１側板の上縁には、第１折返し片を折り返したときに該第１凸部が嵌合する第１穴部が形成されており、
前記第２折返し片は、その先端縁に突出する第２凸部を備え、前記第２側板の上縁には、第２折返し片を折り返したときに該第２凸部が嵌合する第２穴部が形成されていることを特徴とする請求項１記載の包装箱。
【発明の詳細な説明】
【技術分野】
【０００１】
本発明は、角筒状の胴部の上部が４枚の天フラップにより閉蓋され、閉蓋状態においては胴部上部の中央部が開放された、例えば、長ネギ等の野菜類の包装に適した包装箱に関する。
【背景技術】
【０００２】
従来、起立する４枚の側板により形成された角筒状の胴部と、各側板の上縁に折目線を介して連設された４枚の天フラップとを備え、天フラップによって閉蓋した状態で胴部上部の中央部が開放される段ボール製の包装箱が知られている。この種の包装箱は、長ネギ等の長さの比較的長い野菜類の包装に用いられ、胴部上部の中央部が開放された状態で閉蓋されるので、内容物の状態が外部から容易に確認できるようになっている。
【０００３】
この種の包装箱においては、各天フラップを各側板の上縁の折目線に沿って水平に折り曲げることによって閉蓋されるが、このとき、各天フラップによる閉蓋状態を維持するために、四隅部に位置する各天フラップの重合部分をステープルや接着テープ等の連結具を用いて留めることが行われる。しかし、ステープルや接着テープ等の連結具は、包装箱を形成している段ボールのリサイクル等に際して分別作業が煩わしい。
【０００４】
そこで、近年では、一方に対向する一対の第１天フラップに抱込み片を設け、他方に対向する一対の第２天フラップの先端に折返し片を連設して、折返し片の両側から延出する抜止片を設け、抜止片を折り曲げつつ折返し片を折り返して、第２天フラップと折返し片とで抱込み片を抱き込み、抜止片の折り曲げを戻して折返し片が抜け止めされるようにした包装箱が知られている（例えば、特許文献１参照）。これによれば、ステープルや接着テープ等の連結具を用いることなく各天フラップの折り曲げ状態が維持されることにより、リサイクル等に有利である。
【特許文献１】特開２００４−３５２３５４号公報
【発明の開示】
【発明が解決しようとする課題】
【０００５】
しかし、第２天フラップの折返し片を折り返したときには、第２天フラップの下面に折り返された折返し片及び抜止片により、箱内部側では、折返し片及び抜止片と第１天フラップの下面との間に段差が生じる。この種の包装箱は、先ず、第１天フラップと第２天フラップとにより閉蓋して天地反転させ、開放状態の底側から長ネギ等の野菜類を投入し、底側のフラップを封止した後に天地を戻すことが行なわれるが、開放状態の底側から長ネギ等の比較的傷付き易い野菜類を投入したときには、箱内部側に形成された前記段差に接触した野菜類に傷付きが生じる不都合がある。
【０００６】
更に、この種の包装箱は、閉蓋された状態でその中央部が開放されていることから、内部に内容物が入った状態で一方の第１天フラップのみ或いは一方の第２天フラップのみに開放部分から手を掛けて包装箱を持ち上げることが行なわれる場合がある。このとき、折返し片を備えない第１天フラップに不用意に手を掛けて包装箱を持ち上げると、第１天フラップに歪みや亀裂が生じる不都合がある。
【０００７】
かかる不都合を解消して、本発明は、ステープルや接着テープ等の連結具を用いることなく閉蓋状態を維持できて、各天フラップに手を掛けて持ち上げた際の各天フラップの歪みや損傷を防止することができ、しかも、閉蓋状態の箱内部側における各天フラップによる段差を小として内容物である野菜の傷付きを防止することができる包装箱を提供することを目的とする。
【課題を解決するための手段】
【０００８】
かかる目的を達成するために、本発明は、一方に対向して起立する矩形状の一対の第１側板と他方に対向して起立する矩形状の一対の第２側板とにより形成された角筒状の胴部と、各第１側板の上縁に折目線を介して連設された一対の第１天フラップと、各第２側板の上縁に折目線を介して連設された一対の第２天フラップとを備え、両第１天フラップを第１側板の上縁の折目線に沿って水平に折り曲げることにより、両第１天フラップが互いに間隙を存して前記胴部の上部を覆い、両第２天フラップを第２側板の上縁の折目線に沿って水平に折り曲げて各第２天フラップの両隅部を各第１天フラップの両隅部に重合させることにより、両第２天フラップが互いに間隙を存して前記胴部の上部を覆い、両第１天フラップと両第２天フラップとにより胴部の上部中央部が開放された状態で閉蓋される、野菜を包装するための包装箱において、第１天フラップの先端縁に、折目線を介して連なる第１折返し片と、該第１折返し片の両側に沿って延出する一対の抱込み片とを設け、第１天フラップを水平に折り曲げた後、更に第１折返し片を下方に折り返して該第１天フラップの下面に密着状態に重合させ、第２天フラップの先端縁に折目線を介して連なる第２折返し片を設け、該第２天フラップを水平に折り曲げた後、更に第２折返し片を下方に折り返して、第２天フラップと第２折返し片とが夫々密着して抱込み片を抱込んで閉蓋し、
天地反転した状態で第１天フラップ及び第２天フラップを内部からみたときに、第１天フラップに重合する第１折返し片と抱込み片に重合する第２折返し片とによって角部を除く全周にわたって同じ高さで平坦に形成されていることを特徴とする。
【０００９】
本発明の包装箱によれば、第１天フラップに連設された抱込み片を、第２天フラップに連設された第２折返し片が抱込んで閉蓋するので、ステープルや接着テープ等の連結具を用いることなく閉蓋状態を維持することができる。
【００１０】
更に、第２天フラップは、その下面に抱込み片とそれを抱込んだ第２折返し片とが重合して高い強度が得られるので、閉蓋状態の第２天フラップに手を掛けて包装箱を持ち上げた際の第２天フラップの歪みや損傷を防止することができる。一方、第１天フラップは、抱込み片の間に設けられた第１折返し片を下方に折返して、第１天フラップの下面に重合した状態とするので、第１天フラップの強度も向上し、閉蓋状態の第１天フラップに手を掛けて包装箱を持ち上げた際の第１天フラップの歪みや損傷を防止することができる。
【００１１】
また、閉蓋状態では、箱内部側において、抱込み片を抱込んだ第２折返し片が抱込み片に重合した状態で第１天フラップの下面との間に段差を形成するが、第１天フラップの下面には第１折返し片が重合しているので、第２折返し片と第１折返し片との間に箱内部から見た場合の高さの違いが生じることがなく、段差が極めて少ない状態となるので、閉蓋状態の箱内部側における各天フラップ間の段差による野菜の傷付きを防止することができる。
【００１２】
また、本発明において、前記第１折返し片は、その先端縁に突出する第１凸部を備え、前記第１側板の上縁には、第１折返し片を折り返したときに該第１凸部が嵌合する第１穴部が形成されており、前記第２折返し片は、その先端縁に突出する第２凸部を備え、前記第２側板の上縁には、第２折返し片を折り返したときに該第２凸部が嵌合する第２穴部が形成されていることが好ましい。
【００１３】
これによれば、第１凸部の第１穴部への嵌合により第１天フラップの下面への第１折返し片の重合状態が確実に維持されると共に、第２凸部の第２穴部への嵌合により第２天フラップと第２折返し片とで抱込み片を抱込んで重合する状態が確実に維持される。そして、これに伴い、第１天フラップと第２天フラップとが確実に連結されるので、ステープルや接着テープ等の連結具を用いることなく強固な閉蓋状態を維持することができる。更には、第１天フラップ及び第２天フラップの何れかに手を掛けて包装箱を持ち上げても、その際の第１天フラップや第２天フラップの不用意な外れを防止することができる。
【発明を実施するための最良の形態】
【００１４】
本発明の一実施形態を図面に基づいて説明する。図１は本実施形態の包装箱を示す説明的斜視図、図２は本実施形態の包装箱の展開図、図３（ａ）、図３（ｂ）は本実施形態の包装箱の閉蓋作業を示す説明図、図４は本実施形態の包装箱の要部を示す説明図である。
【００１５】
本実施形態の包装箱１は、図１に示すように、角筒状の胴部２と、該胴部２の上端を閉蓋する天部３と、該胴部２の下端を閉塞する底部４とによって直方体状に形成され、閉蓋状態で天部３の中央部が開放されて長ネギ等の野菜類を内容物として包装するのに好適な形状を有している。
【００１６】
包装箱１は、図２において展開して示すように４枚の側板、即ち、一対の第１側板５と一対の第２側板６とが夫々折目線ａを介して交互に連設されている。各側板５，６は、夫々折目線ａに沿って折り曲げられ、次いで、一方の第２側板６の端縁に連設された接着片７が一方の第１側板５の端部に接着されて前記胴部２（図１参照）を形成する。また、各第１側板５の下端縁には第１底フラップ８が、各第２側板６の下端縁には第２底フラップ９が、夫々折目線ｂ，ｃを介して連設されている。各底フラップ８，９は折目線ｂ，ｃに沿って水平に折り曲げられて前記底部４（図１参照）を形成する。
【００１７】
次に、本発明に係る本実施形態の前記天部３の構成を詳しく説明する。図２に示すように、各第１側板５の上端縁には折目線ｄを介して第１天フラップ１０が連設されており、同じようにして、各第２側板６には折目線ｅを介して第２天フラップ１１が連設されている。
【００１８】
第１天フラップ１０には、その先端縁に折目線ｆを介して第１折返し片１２が連設されていると共に、第１折返し片１２の両側に沿って延出する一対の抱込み片１３が連設されている。また、第１折返し片１２の先端縁には第１凸部１４が形成されている。この第１凸部１４は、後述するように第１折返し片１２を折り返したときに、第１側板５の上縁の折目線ｄに沿って形成された第１穴部１５に嵌り込む。
【００１９】
第２天フラップ１１には、その先端縁に折目線ｇを介して第２折返し片１６が連設されている。第２折返し片１６の先端縁には第２凸部１７が形成されており、この第２凸部１７は、後述するように第２折返し片１６を折り返したときに、第２側板６の上縁の折目線ｅに沿って形成された第２穴部１８に嵌り込む。
【００２０】
次に、以上の構成からなる包装箱１の閉蓋作業について説明する。本実施形態の包装箱１は、前記接着片７により一方の第２側板６の端縁と一方の第１側板５の端部とを連結して各筒状の胴部２を形成し、底部４を形成しない状態（第１底フラップ８と第２底フラップ９によって閉塞しない状態）で、長ネギ等の野菜類を内容物として収容するに先立って閉蓋作業を行う。
【００２１】
先ず、図３（ａ）に示すように、第１折返し片１２を折目線ｆに沿って内方に折り返して第１天フラップ１０の内面側に重合させる。次いで、第１天フラップ１０を折目線ｄに沿って第１側板５に対して直角となるように折り曲げ、水平にする。このとき、第１折返し片１２の第１凸部１４が第１穴部１５に嵌り込む。これにより、第１天フラップ１０の内面（下面）側への第１折返し片１２の重合状態が確実に維持される。また、この状態で、天部３は、一対の第１天フラップ１０と抱込み片１３により中央部が開放された形状となる。
【００２２】
続いて、図３（ｂ）に示すように、第２天フラップ１１を第２側板６に対して直角となるように折目線ｅに沿って折り曲げ、水平に折り曲げられている第１天フラップ１０の両側の上面に重合させる。次いで、第２折返し片１６を折目線ｇに沿って内方に折り返し、第２天フラップ１１と第２折返し片１６とで抱込み片１３を抱込んた状態とする。このとき、第２折返し片１６の第２凸部１７を第２穴部１８に嵌め込む。これにより、第２天フラップ１１と第２折返し片１６とで抱込み片１３を抱込んで重合する状態が確実に維持される。このように、本実施形態の包装箱１は、その閉蓋作業を極めて容易に行うことができ、第２凸部１７の第２穴部１８への嵌合により、第１天フラップ１０と第２天フラップ１１とが確実に連結されるので、ステープルや接着テープ等の連結具を用いることなく閉蓋状態を維持することができる。
【００２３】
その後、天部３が閉蓋された胴部２内に野菜類の収容作業を行う。即ち、図示しないが、天部３が閉蓋された胴部２を天地反転させて、開放された底部側から長ネギ等を投入する。このとき、図４に天地反転した状態で第１天フラップ１０及び第２天フラップ１１を内部から示すように、第１天フラップ１０及び第２天フラップ１１の内面側は、第１天フラップ１０に重合する第１折返し片１２と抱込み片１３に重合する第２折返し片１６とによって角部を除く全周にわたって同じ高さになる。これにより、天部３の内側に長ネギ等が安定して配列され、段差が形成されている部分が角部のみで極めて少ないので、長ネギ等の傷つきも防止される。しかも、第１凸部１４の第１穴部１５への嵌合と第２凸部１７の第２穴部１８への嵌合とによって第１折返し片１２及び第２折返し片１６が不用意に揺動することがなく重合状態が確実に維持されるので、これによっても、長ネギ等を安定して配列でき、長ネギ等の傷つきを防止することができる。
【００２４】
次いで、長ネギ等の野菜類を投入した後には、各底フラップ８，９を折目線ｂ，ｃに沿って水平に折り曲げて閉塞された底部４を形成する。そして、各底フラップ８，９をステープルや接着テープ等を用いて封緘し、胴部２を反転させて天部３を上方に向けることにより野菜類の収容作業が完了する。
【００２５】
本実施形態の包装箱１は、以上のような閉蓋状態で、第１天フラップ１０には抱込み片１３の間に設けられた第１折返し片１２が重合し、第２天フラップ１１には抱込み片１３及び第２折返し片１６が重合して高い強度が得られているので、天部３を形成している第１天フラップ１０及び第２天フラップ１１の何れかに手を掛けて包装箱１を持ち上げても、その際の第１天フラップ１０や第２天フラップ１１の不用意な外れ及び歪みや損傷を防止することができる。
【図面の簡単な説明】
【００２６】
【図１】本発明の一実施形態の包装箱を示す説明的斜視図。
【図２】本実施形態の包装箱の展開図。
【図３】本実施形態の包装箱の閉蓋作業を示す説明図。
【図４】本実施形態の包装箱の要部を示す説明図。
【符号の説明】
【００２７】
１…包装箱、２…胴部、５…第１側板、６…第２側板、１０…第１天フラップ、１１…第２天フラップ、１２…第１折返し片、１３…抱込み片、１４…第１凸部、１５…第１穴部、１６…第２折返し片、１７…第２凸部、１８…第２穴部。
【図１】
0004848570.tif 000002
【図２】
0004848570.tif 000003
【図３】
0004848570.tif 000004
【図４】
0004848570.tif 000005